Podtech/llm-jp-corpus-v4-ja_patent huggingface dataset:
【手続補正書】
【提出日】平成20年6月17日(2008.6.17)
【手続補正１】
【補正対象書類名】明細書
【補正対象項目名】特許請求の範囲
【補正方法】変更
【補正の内容】
【特許請求の範囲】
【請求項１】
各々、複数のワード線と複数のビット線との交点にメモリセルを配置したメモリアレイを含む複数のメモリブロックと、
書き込み読み出し判定信号に応答して、読み出し動作時には書き込み動作時よりも少ない前記メモリブロックを前記メモリブロックの中から選択して活性化するメモリブロック選択手段とを備え、
活性化された前記メモリブロック内で選択された前記ワード線に結合された前記メモリセルが活性化されることを特徴とする半導体記憶装置。
【請求項２】
前記メモリセルは、不揮発性半導体メモリのメモリセルであり、選択された前記ワード線に結合された前記メモリセルに対して一括して書き込みを行うためのラッチ回路をさらに備えたことを特徴とする請求項１に記載の半導体記憶装置。
【請求項３】
前記メモリブロック選択手段は、さらにビット幅選択信号に応答して、読み出し動作時にビット幅に応じた数の前記メモリブロックを活性化することを特徴とする請求項１に記載の半導体記憶装置。
【請求項４】
前記メモリブロック選択手段は、さらに読み出し検査信号に応答し、読み出し検査動作時に通常の読み出し動作時よりも多くの前記メモリブロックを活性化することを特徴とする請求項１に記載の半導体記憶装置。
【請求項５】
各々、複数のワード線と複数のビット線との交点にメモリセルを配置したメモリセルアレイを含む複数のメモリブロックと、
読み出し検査信号に応答して、読み出し検査動作時には通常の読み出し動作時よりも多くの前記メモリブロックを前記メモリブロックの中から選択して活性化するメモリブロック選択手段とを備え、活性化された前記メモリブロック内で選択された前記ワード線に結合された前記メモリセルが活性化されることを特徴とする半導体記憶装置。
【請求項６】
選択された前記ワード線に電荷を供給する電源回路をさらに備えたことを特徴とする請求項５に記載の半導体記憶装置。
【請求項７】
前記複数のメモリブロックに対して共通に設けられた共通ロウデコーダをさらに備え、前記複数のメモリブロックの各々は、前記メモリブロック選択手段の出力及び、前記共通ロウデコーダの出力に従って前記ワード線を選択し、選択された前記ワード線に結合された前記メモリセルを活性化するワード線ドライバを有することを特徴とする請求項１から請求項５のいずれかの請求項に記載の半導体記憶装置。
【手続補正２】
【補正対象書類名】明細書
【補正対象項目名】０００７
【補正方法】変更
【補正の内容】
【０００７】
【課題を解決するための手段】
上記課題を解決するため、本発明は以下の構成を有する。
請求項１の本発明は、各々、複数のワード線と複数のビット線との交点にメモリセルを配置したメモリアレイを含む複数のメモリブロックと、書き込み読み出し判定信号に応答して、読み出し動作時には書き込み動作時よりも少ない前記メモリブロックを前記メモリブロックの中から選択して活性化するメモリブロック選択手段とを備え、活性化された前記メモリブロック内で選択された前記ワード線に結合された前記メモリセルが活性化されることを特徴とする半導体記憶装置である。
【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
複数個の光入力ポートと複数個の光出力ポートを備えた光切替デバイスにおいて、反射モニタ機能を有する反射モニタ部を複数個前記光入力ポートと前記光出力ポートの間に備えた光切替デバイス。
【請求項２】
前記反射モニタ部は前記光切替デバイスに入力される光信号のある経路における反射光を検出し、前記反射モニタ機能を利用することにより前記反射光の前記経路における反射位置を特定しうることを特徴とする請求項１に記載の光切替デバイス。
【請求項３】
複数個の光切替デバイスを多段接続して構成された光切替装置において、前記光切替デバイスは反射モニタ機能を有する反射モニタ部を複数個備え、前記反射モニタ部は前記光切替デバイスに入力される光信号のある経路における反射光を検出し、前記反射モニタ機能を利用することにより前記反射光の前記経路における反射位置を特定しうることを特徴とする光切替装置。
【請求項４】
前記反射モニタ部は、光信号或いは該光信号に対する反射光を分離する光分岐部と前記光信号或いは前記反射光をモニタする光検出器から成ることを特徴とする請求項３に記載の光切替装置。
【請求項５】
前記反射モニタ部は、光信号のみ通し反射光を遮断する光アイソレータと光信号に対する反射光を分離する光分岐部と前記反射光をモニタする光検出器から成ることを特徴とする請求項３に記載の光切替装置。
【請求項６】
前記反射モニタ部は、光信号を通し該光信号に対する反射光をサーキュレーション或いはブロックする光サーキュレータと前記反射光をモニタする光検出器から成ることを特徴とする請求項３に記載の光切替装置。
【手続補正書】
【提出日】平成20年8月25日(2008.8.25)
【手続補正１】
【補正対象書類名】明細書
【補正対象項目名】特許請求の範囲
【補正方法】変更
【補正の内容】
【特許請求の範囲】
【請求項１】
レンズと、このレンズを支持する鏡筒と、前記レンズを介して入射された光に基づきセンサ部により撮像し撮像信号を出力するイメージセンサチップと、透明性基板を備え、
前記透明性基板の第１の面には、前記鏡筒が設けられ、
前記第１の面の反対側の第２の面には、前記イメージセンサチップと当該イメージセンサチップと接続された配線が設けられ、
さらに、当該第２の面側に、前記配線と接続された電子部品を設けたカメラモジュール。
【請求項２】
前記イメージセンサチップは、一面にセンサ部と論理回路部を有し、
前記鏡筒は、前記イメージセンサチップの論理回路部上に載置され固定されていることを特徴とする請求項１に記載のカメラモジュール。
【請求項３】
レンズを介して入射された光に基づきセンサ部により撮像し撮像信号を出力するイメージセンサチップと、透明性基板を備え、
前記透明性基板には、前記イメージセンサチップを固定した面に、さらに当該イメージセンサチップと接続された配線が設けられ、
さらに、前記透明性基板の前記イメージセンサチップを設けた面側に、前記配線と接続された電子部品を設けたカメラモジュール。
【請求項４】
前記イメージセンサチップと、前記配線基板又は前記第１の基板とは、スペーサを介して電気的に接続されていることを特徴とする請求項１乃至３のいずれか一項に記載のカメラモジュール。
【請求項５】
前記イメージセンサチップは、ＣＳＰ再配線層を備えていることを特徴とする請求項１乃至４のいずれか一項に記載のカメラモジュール。
【請求項６】
前記イメージセンサチップと前記配線基板とは、半田バンプによって電気的に接続されていることを特徴とする請求項１乃至４のいずれか一項に記載のカメラモジュール。
【請求項７】
前記イメージセンサチップと前記配線基板とは、異方性導電材によって電気的に接続されていることを特徴とする請求項１乃至４のいずれか一項に記載のカメラモジュール。
【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】 医用Ｘ線システムであって、
互いに対向しており患者の撮像軸（４８）に沿って整列しているＸ線源（３２）及び受像器（３４）を保持している支持構造（１２）であって、前記Ｘ線源（３２）及び受像器（３４）は患者により減衰したＸ線のパターンを得るように協働し、前記Ｘ線源は照射されるＸ線の強度を変化させ、前記受像器はＸ線を患者の領域を表わす光線へ変換し、該光線の輝度はＸ線の強度に基づいて変化する、支持構造（１２）と、Ｘ線画像を得るように前記光線を処理するプロセッサ（１１６）と、前記Ｘ線画像を表示する表示器（１１８）と、前記光線の輝度を低下させるように前記光線の一部を遮断する部分的に不透明な部材（１４４、１７０）であって、不透明度の異なる領域（１９２、２００、２０２）を有する部分的に不透明な部材（１４４、１７０）と、
前記光線の輝度の低下を変化させるように前記部分的に不透明な部材（１４４、１７０）を移動させるモータ・アセンブリ（１５６）と、
前記部分的に不透明な部材（１４４、１７０）の移動に応じて、前記Ｘ線システムの自動的なフィードバック応答を介して前記Ｘ線源から照射されるＸ線の強度の減少を生じさせる手段と、
を備えた医用Ｘ線システム。
【請求項２】 前記部分的に不透明な部材（１４４、１７０）は互いに対して不透明度が変化している領域（１９２、２００、２０２）を有する請求項１に記載のシステム。
【請求項３】 前記部分的に不透明な部材（１４４、１７０）は互いに対して不透明度が変化している領域（１９２、２００、２０２）を有しており、１以上の領域が一定の不透明度を有する請求項１に記載のシステム。
【請求項４】 前記部分的に不透明な部材（１４４、１７０）は互いに対して不透明度が変化している領域（１９２、２００、２０２）を有しており、１以上の領域が連続的に変化する不透明度を有する請求項１に記載のシステム。
【請求項５】 前記モータ・アセンブリ（１５６）は当該Ｘ線システムの自動的なフィードバック応答を介して前記Ｘ線源から照射されるＸ線の強度の減少を生じさせるために、前記部分的に不透明な部材（１４４、１７０）を不透明度の高い状態から不透明度の小さい状態へシフトさせる請求項１に記載のシステム。
【請求項６】 前記モータ・アセンブリ（１５６）は前記光線に整列するように前記部分的に不透明な部材（１４４、１７０）の不透明のより高い領域を移動させるために、前記部分的に不透明な部材（１４４、１７０）を第一の角度位置と第二の角度位置との間で回転させるギア・アセンブリ（１５４）をさらに含んでいる請求項１に記載のシステム。
【請求項７】 前記モータ・アセンブリ（１５６）は前記部分的に不透明な部材（１４４、１７０）を、前記光線が前記部分的に不透明な部材の透明度の高い部分を通過するような初期位置と、前記光線の一部が前記部分的に不透明な部材の不透明度の高い部分により遮断されるような最終位置との間で移動させる請求項１に記載のシステム。
【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】  表示手段に所定の通信関連動作に関する複数の表示画面を操作段階ごとに表示し、各操作段階での操作手段からの操作入力に応じて該通信関連動作の態様を決定する通信装置において、
前記各操作段階における前記操作手段からの操作入力に応じて実際に通信関連動作を実行する通常動作モードと、前記各操作段階における前記操作手段からの操作入力に応じて実際の通信関連動作は実行せず通常動作モードと全く同様に表示の更新のみを行なうヘルプモードのいずれかを選択する選択手段を設けたことを特徴とする通信装置。
【請求項２】  前記選択手段による通常動作モードからヘルプモードへの切り換えを任意の操作段階で受け付けることを特徴とする請求項１に記載の通信装置。
【請求項３】  前記ヘルプモードが終了した場合、前記通常動作モードからヘルプモードへ切り換えられた操作段階の表示画面へ復帰することを特徴とする請求項１に記載の通信装置。
【請求項４】  前記ヘルプモードにおいては、前記ヘルプモードである旨の識別表示を行なうことを特徴とする請求項１に記載の通信装置。
【請求項５】  前記ヘルプモードにおいて、必要なヘルプ情報を音声により出力することを特徴とする請求項１に記載の通信装置。
【請求項６】  表示手段に所定の通信関連動作に関する複数の表示画面を操作段階ごとに表示し、各操作段階での操作手段からの操作入力に応じて該通信関連動作の態様を決定する通信装置の制御方法において、
前記各操作段階における前記操作手段からの操作入力に応じて実際に通信関連動作を実行する通常動作モードと、前記各操作段階における前記操作手段からの操作入力に応じて実際の通信関連動作は実行せず通常動作モードと全く同様に表示の更新のみを行なうヘルプモードのいずれかを選択する制御工程を含むことを特徴とする通信装置の制御方法。
【請求項７】  前記通常動作モードからヘルプモードへの切り換えを任意の操作段階で受け付けることを特徴とする請求項６に記載の通信装置の制御方法。
【請求項８】  前記ヘルプモードが終了した場合、前記通常動作モードからヘルプモードへ切り換えられた操作段階の表示画面へ復帰することを特徴とする請求項６に記載の通信装置の制御方法。
【請求項９】  前記ヘルプモードにおいては、前記ヘルプモードである旨の識別表示を行なうことを特徴とする請求項６に記載の通信装置の制御方法。
【請求項１０】  前記ヘルプモードにおいて、必要なヘルプ情報を音声により出力することを特徴とする請求項６に記載の通信装置の制御方法。
【請求項１１】  表示手段に所定の通信関連動作に関する複数の表示画面を操作段階ごとに表示し、各操作段階での操作手段からの操作入力に応じて該通信関連動作の態様を決定する通信装置の制御プログラムにおいて、
前記各操作段階における前記操作手段からの操作入力に応じて実際に通信関連動作を実行する通常動作モードと、前記各操作段階における前記操作手段からの操作入力に応じて実際の通信関連動作は実行せず通常動作モードと全く同様に表示の更新のみを行なうヘルプモードのいずれかを選択する制御工程を含むことを特徴とする通信装置の制御プログラム。
【手続補正書】
【提出日】平成20年3月10日(2008.3.10)
【手続補正１】
【補正対象書類名】明細書
【補正対象項目名】発明の名称
【補正方法】変更
【補正の内容】
【発明の名称】発光装置の作製方法
【手続補正２】
【補正対象書類名】明細書
【補正対象項目名】特許請求の範囲
【補正方法】変更
【補正の内容】
【特許請求の範囲】
【請求項１】
基板の表面に赤色発光が得られる発光層、緑色発光が得られる発光層、及び青色発光が得られる発光層を形成し、
前記基板の裏面を研磨し、
前記基板の裏面に、透明基板に設けられた着色層を樹脂層によって接着する発光装置の作製方法であって、
前記着色層は、赤色光を透過する着色層と、緑色光を透過する着色層と、青色光を透過する着色層とを含み、
前記赤色光を透過する着色層は前記赤色発光が得られる発光層に対応する位置に配置され、
前記緑色光を透過する着色層は前記緑色発光が得られる発光層に対応する位置に配置され、
前記青色光を透過する着色層は前記青色発光が得られる発光層に対応する位置に配置されることを特徴とする発光装置の作製方法。
【請求項２】
請求項１において、前記基板の裏面をＣＭＰ技術を用いて研磨することを特徴とする発光装置の作製方法。
【請求項３】
請求項１または２において、前記基板は、１００〜３００μｍの厚さに研磨されることを特徴とする発光装置の作製方法。
【請求項４】
請求項１または２において、前記基板は、画素ピッチ以下の厚さに研磨されることを特徴とする発光装置の作製方法。
【請求項５】
請求項１乃至４のいずれか一において、前記透明基板に反射防止膜もしくは偏光板を貼り合わせる過程を含むことを特徴とする発光装置の作製方法。
【請求項６】
請求項１乃至５のいずれか一において、前記透明基板として高分子材料を用いることを特徴とする発光装置の作製方法。
【請求項７】
基板の表面に剥離層を形成し、
前記剥離層上に下地膜を形成し、
前記下地膜上に赤色発光が得られる発光層、緑色発光が得られる発光層、及び青色発光が得られる発光層を形成し、
前記剥離層をエッチングすることによって、前記基板を剥離し、
前記下地膜の裏面に、プラスチックフィルムに設けられた着色層を樹脂層によって接着する発光装置の作製方法であって、
前記着色層は、赤色光を透過する着色層と、緑色光を透過する着色層と、青色光を透過する着色層とを含み、
前記赤色光を透過する着色層は前記赤色発光が得られる発光層に対応する位置に配置され、
前記緑色光を透過する着色層は前記緑色発光が得られる発光層に対応する位置に配置され、
前記青色光を透過する着色層は前記青色発光が得られる発光層に対応する位置に配置されることを特徴とする発光装置の作製方法。
【請求項８】
請求項７において、前記剥離層は珪素膜でなることを特徴とする発光装置の作製方法。
【請求項９】
請求項７又は８において、フッ化ハロゲンガスを含むガスによって前記剥離層をエッチングすることを特徴とする発光装置の作製方法。
【手続補正書】
【提出日】平成20年4月22日(2008.4.22)
【手続補正１】
【補正対象書類名】明細書
【補正対象項目名】特許請求の範囲
【補正方法】変更
【補正の内容】
【特許請求の範囲】
【請求項１】  製造チャンバを含む処理デバイスであって、
ａ）コンピュータ実行可能メッセージをチャンバへ通信するものであり、第１メッセージをサポートするインターフェースプロトコルを含む、第１データ通信ポートと、
ｂ）コンピュータ実行可能メッセージを前記チャンバへ通信するものであり、第２メッセージをサポートするインターフェースプロトコルを含む、第２データ通信ポートと、
ｃ）工程データ、製品データ及び装置パラメータデータから成る群から選択されるデータを、検出し、その後レポートするために前記チャンバへ備えられるものであり、前記第２ポートと通信するする少なくとも１つのセンサーとを備える、デバイス。
【請求項２】  ａ）前記第１メッセージは標準ＳＥＣＳ ＩＩメッセージを有し、
ｂ）前記第２メッセージは特製ＳＥＣＳ ＩＩメッセージを有する、請求項１に記載のデバイス。
【請求項３】  製造チャンバを含む処理デバイスであって、
ａ）コンピュータ実行可能メッセージをチャンバへ通信するものであり、第１メッセージを通信するための第１インターフェースを備える、第１データ通信ポートと、
ｂ）コンピュータ実行可能メッセージを前記チャンバへ通信するものであり、第１メッセージ及び第２メッセージを有する第３メッセージを通信するための第２インターフェースを備える、第２データ通信ポートと、
ｃ）工程データ、製品データ及び装置パラメータデータから成る群から選択されるデータを、検出し、その後レポートするために前記チャンバへ備えられるものであり、前記第２ポートと通信するする少なくとも１つのセンサーとを備える、デバイス。
【請求項４】  ａ）前記第１メッセージは標準ＳＥＣＳ ＩＩメッセージを有し、
ｂ）前記第２メッセージは特製ＳＥＣＳ ＩＩメッセージを有する、請求項３に記載のデバイス。
【請求項５】  少なくとも１つのセンサー、第１シリアルデータ通信ポート及び第２シリアルデータ通信ポートを含む製造チャンバであって、
ａ）少なくとも１つの前記センサーは、前記チャンバ内に配置され、センサーデータを提供するために設けられており、
ｂ）前記第１シリアルデータ通信ポートは、ＭＥＳメッセージを含むコンピュータ実行可能メッセージを通信するために設けられ、約１９２００の最大ボーレートで第１メッセージをサポートする第１インターフェースプロトコルを含むものであり、
ｃ）前記第２シリアルデータ通信ポートは、センサーデータを含む拡張データ取得システムデータを有するデータを通信するために設けられ、（ｉ）第１メッセージ及び（ｉｉ）第２メッセージを含むメッセージをサポートする第２インターフェースプロトコルを備えると共に、約３８４００の最大ボーレートで動作するものである、チャンバ。
【請求項６】  ａ）前記第１メッセージは標準ＳＥＣＳ ＩＩメッセージを有し、
ｂ）前記第２メッセージは特製ＳＥＣＳ ＩＩメッセージを有する、請求項５に記載のデバイス。
【請求項７】  製造チャンバを含む処理デバイスであって、
ａ）コンピュータ実行可能メッセージを前記チャンバへ通信するものであり、標準ＳＥＣＳ ＩＩメッセージを通信するための第１インターフェースを有する、第１データ通信ポートと、
ｂ）コンピュータ実行可能メッセージを前記チャンバへ通信するものであり、標準ＳＥＣＳ ＩＩメッセージ及び特製ＳＥＣＳ ＩＩメッセージを有するメッセージを通信するための第２インターフェースを有する、第２データ通信ポートと、
ｃ）工程データ、製品データ及び装置パラメータデータから成る群から選択されるデータを、検出し、その後レポートするために前記チャンバへ備えられるものであり、前記第２ポートと通信する少なくとも１つのセンサーと、
を備えるデバイス。
【請求項８】  製造チャンバを含む処理デバイスであって、
ａ）コンピュータ実行可能メッセージを前記チャンバへ通信するものであり、標準ＳＥＣＳ ＩＩメッセージをサポートするインターフェースプロトコルを含む、第１データ通信ポートと、
ｂ）コンピュータ実行可能メッセージを前記チャンバへ通信するものであり、特製ＳＥＣＳ ＩＩメッセージをサポートするインターフェースプロトコルを含む、第２データ通信ポートと、
ｃ）工程データ、製品データ及び装置パラメータデータから成る群から選択されるデータを、検出し、その後レポートするために前記チャンバへ備えられるものであり、前記第２ポートと通信する少なくとも１つのセンサーと、
を備えるデバイス。
【請求項９】  製造チャンバを含む処理デバイスであって、
ａ）コンピュータ実行可能メッセージを前記チャンバへ通信するためのものであり、標準ＳＥＣＳ ＩＩメッセージをサポートするインターフェースプロトコルを含むシリアルポートを有する、第１データ通信ポートと、
ｂ）コンピュータ実行可能メッセージを前記チャンバへ通信するためのものであり、特製ＳＥＣＳ ＩＩメッセージをサポートするインターフェースプロトコルを含むシリアルポートを有する、第２データ通信ポートと、
を備えるデバイス。
【請求項１０】  ａ）データ取得サブシステムと、
ｂ）データ処理サブシステムと、
ｃ）情報処理及び分析環境と、
ｄ）所定の管理限界の範囲内で処理が作動しているか否かを決定するためのものであり、アラームを起動するために取り付けられた判断環境と、
をさらに備える請求項９に記載のデバイス。
【請求項１１】  前記チャンバは、センサーデータを前記第２ポートに通信するセンサーを有する、請求項１０に記載のデバイス。
【請求項１２】  少なくとも１つのセンサー、第１シリアルデータ通信ポート及び第２シリアルデータ通信ポートを含む製造チャンバであって、
ａ）少なくとも１つの前記センサーは、前記チャンバの内部に配置され、センサーデータを提供するために設けられており、
ｂ）前記第１シリアルデータ通信ポートは、ＭＥＳメッセージを含むコンピュータ実行可能メッセージを通信するために設けられ、約１９２００の最大ボーレートの標準ＳＥＣＳ ＩＩメッセージをサポートする第１インターフェースプロトコルを含むものであり、
ｃ）前記第２シリアルデータ通信ポートは、センサーデータを含む拡張データ取得システムデータを有するデータを通信するために設けられ、（ｉ）標準ＳＥＣＳ ＩＩメッセージ及び（ｉｉ）特製ＳＥＣＳ ＩＩメッセージを含むメッセージをサポートする第２インターフェースプロトコルを備えると共に、約３８４００の最大ボーレートで動作するものである、チャンバ。
【手続補正書】
【提出日】平成20年3月12日(2008.3.12)
【手続補正１】
【補正対象書類名】明細書
【補正対象項目名】発明の名称
【補正方法】変更
【補正の内容】
【発明の名称】照明装置及び液晶電気光学装置
【手続補正２】
【補正対象書類名】明細書
【補正対象項目名】特許請求の範囲
【補正方法】変更
【補正の内容】
【特許請求の範囲】
【請求項１】
導光板と、点光源とを有し、
前記導光板の側面に前記点光源の発光が入射し、前記導光板の上面又は下面から光が出射する照明装置であって、
前記導光板は互いに接する第１の側面及び第２の側面を有し、前記第１の側面及び前記第２の側面により形成される角の近傍に前記点光源が設けられていることを特徴とする照明装置。
【請求項２】
導光板と、点光源とを有し、
前記導光板の側面に前記点光源の発光が入射し、前記導光板の上面又は下面から光が出射する照明装置であって、
前記導光板は互いに接する第１の側面及び第２の側面を有し、前記第１の側面及び前記第２の側面により形成される角の近傍に前記点光源が設けられており、前記点光源の発光は前記第１の側面又は前記第２の側面に入射することを特徴とする照明装置。
【請求項３】
導光板と、点光源と、反射性を有する部材とを有し、
前記導光板の側面に前記点光源の発光が入射し、前記導光板の上面又は下面から光が出射する照明装置であって、
前記導光板は互いに接する第１の側面及び第２の側面を有し、前記第１の側面及び前記第２の側面により形成される角の近傍に前記点光源が設けられ、
前記点光源の発光は、前記反射性を有する部材によって反射され前記第１の側面又は前記第２の側面に入射することを特徴とする照明装置。
【請求項４】
請求項３において、
前記反射性を有する部材、前記第１の側面及び前記第２の側面により前記点光源が囲まれていることを特徴とする照明装置。
【請求項５】
請求項１乃至請求項４のいずれか一において、
前記導光板の前記上面又は前記下面に構造物が設けられていることを特徴とする照明装置。
【請求項６】
請求項５において、
前記構造物はインクドットであることを特徴とする照明装置。
【請求項７】
請求項５において、
前記構造物は凹凸であることを特徴とする照明装置。
【請求項８】
請求項５において、
前記構造物は三角形の断面を有するプリズムであることを特徴とする照明装置。
【請求項９】
請求項５において、
前記構造物は直方形又は正方形の断面を有する突起であることを特徴とする照明装置。
【請求項１０】
請求項５乃至請求項９のいずれか一において、
前記構造物は前記点光源に近いほど低密度で設けられていることを特徴とする照明装置。
【請求項１１】
請求項１乃至請求項１０のいずれか一において、
前記導光板の下方に反射板が設けられていることを特徴とする照明装置。
【請求項１２】
請求項１乃至請求項１１のいずれか一において、
前記点光源は発光ダイオードであることを特徴とする照明装置。
【請求項１３】
請求項１乃至請求項１２のいずれか一において、
前記導光板の材料としてアクリル樹脂を用いたことを特徴とする照明装置。
【請求項１４】
請求項１乃至請求項１３のいずれか一において、
前記照明装置をバックライトに用いたことを特徴とする液晶電気光学装置。
【請求項１５】
請求項１乃至請求項１３のいずれか一において、
前記照明装置をフロントライトに用いたことを特徴とする液晶電気光学装置。
【請求項１６】
請求項１乃至請求項１５のいずれか一において、
前記照明装置を有することを特徴とする電子機器。
【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】
三座配位子のジグリコールアミド（ＤＧＡ）をドデカンに希釈した溶媒を抽出溶媒として用いることを特徴とする、高レベル放射性廃液（ＨＬＬＷ）を含む硝酸溶液中のカルシウム（Ｃａ）およびストロンチウム（Ｓｒ）を効率的に抽出分離する方法。
【請求項２】
更に、抽出溶媒にモノアミド化合物を添加して、第三相の生成を抑制することを特徴とする、請求項１に記載のカルシウムおよびストロンチウムを効率的に抽出分離する方法。
【請求項３】
ＤＧＡがＴＯＤＧＡ（Ｎ，Ｎ，Ｎ’，Ｎ’−テトラオクチル１，３−オキサペンタンジアミド）である、請求項１又は２に記載のカルシウムおよびストロンチウムを効率的に抽出分離する方法。
【請求項４】
モノアミド化合物がＤＨＯＡ（ジヘキシルオクタアミド，（Ｃ６Ｈ１３）２−Ｎ−ＣＯ−Ｃ７Ｈ１５）である、請求項２又は３に記載のカルシウムおよびストロンチウムを効率的に抽出分離する方法。
【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】  相対移動する回折格子に光源からの可干渉光束を照射する照射手段と、前記回折格子で発生した２つの異なる次数の回折光を偏光手段を介して前記回折格子に再照射させる円弧状格子と、前記回折格子に再照射された前記回折光が再回折されて発生した再回折光同士を重ね合わせて受光素子に導光する導光手段と、を備えたエンコーダにおいて、
前記回折格子が形成された基板上に形成された原点パターンと、
前記光源からの可干渉光束の一部を分離して前記原点パターン上に導光する光束分離素子と、
前記原点パターンによって変調された反射光束を検出する原点用受光素子と、を備えたことを特徴とするエンコーダ。
【請求項２】  前記光束分離素子は、回折格子であり、前記可干渉光束の一部を前記基板上に点状または線状に集光することを特徴とする請求項１記載のエンコーダ。
【請求項３】  前記光束分離素子は、前記円弧状格子が形成された基板上に形成されていることを特徴とする請求項１記載のエンコーダ。
【手続補正２】
【補正対象書類名】明細書
【補正対象項目名】０００４
【補正方法】変更
【補正の内容】
【０００４】
しかし、前記従来の技術では、高精度な格子干渉型エンコーダと機構の原点検出器との間が離れていたため、連結している機構の剛性やアッベの誤差により計測再現性を十分に補償することが難しく、適用する装置のコンパクト化や組込み調整作業に難点があった。この難点を克服し得る解決策として、出願人は取り付け時のアライメント誤差の影響を軽減する技術や格子干渉型エンコーダの被計測格子の近傍に原点だし用のパターンを構成させ、エンコーダ出力のほかに原点だし出力を提供する格子干渉型エンコーダを各種開示してきている（特許文献１）。
【手続補正３】
【補正対象書類名】明細書
【補正対象項目名】０００５
【補正方法】変更
【補正の内容】
【０００５】
しかし、当該検出器はより小型・高精度化、及び組込み容易性を追求するために更なる技術改良を必要としてきた。
【特許文献１】特開２００１−３３６９５２号公報
【手続補正４】
【補正対象書類名】明細書
【補正対象項目名】０００７
【補正方法】変更
【補正の内容】
【０００７】
【課題を解決するための手段】
本発明の一側面としてのエンコーダは、相対移動する回折格子に光源からの可干渉光束を照射する照射手段と、前記回折格子で発生した２つの異なる次数の回折光を偏光手段を介して前記回折格子に再照射させる円弧状格子と、前記回折格子に再照射された前記回折光が再回折されて発生した再回折光同士を重ね合わせて受光素子に導光する導光手段と、を備えたエンコーダにおいて、前記回折格子が形成された基板上に形成された原点パターンと、前記光源からの可干渉光束の一部を分離して前記原点パターン上に導光する光束分離素子と、前記原点パターンによって変調された反射光束を検出する原点用受光素子と、を備えたことを特徴とする。
【手続補正５】
【補正対象書類名】明細書
【補正対象項目名】０００８
【補正方法】削除
【補正の内容】
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
内周に第１の突起部が形成された鏡筒部材と、
外周に第１の凹部が形成され、内周に第２の凹部が形成された止め板部材と、
外周に第２の突起部が形成された環状部材とを有し、
前記第１および第２の凹部内を前記第１および第２の突起部がそれぞれ光軸方向に通過した後に周方向に回転した前記止め板部材が、該第１および第２の突起部により前記光軸方向にて挟み付けられることで、前記環状部材が前記鏡筒部材に対して保持されることを特徴とするレンズ鏡筒。
【請求項２】
前記止め板部材において、前記第１の凹部と前記第２の凹部の周方向位置が異なることを特徴とする請求項１に記載のレンズ鏡筒。
【請求項３】
前記鏡筒部材は、前記鏡筒部材に対する周方向での回転が阻止されていることを特徴とする請求項１又は２に記載のレンズ鏡筒。
【請求項４】
前記鏡筒部材内に、光軸回りで回転することにより前記光軸方向での位置調整が可能な調整部材を有し、該調整部材は前記鏡筒部材と前記光軸方向において対向しており、
前記環状部材および前記調整部材のうち一方の部材に、周方向において前記光軸方向での位置が変化する複数の面が形成され、他方の部材に、前記複数の面のうち前記調整部材の回転に応じた面に当接する当接部が設けられていることを特徴とする請求項３に記載のレンズ鏡筒。
【請求項５】
請求項１乃至４の何れか一項に記載のレンズ鏡筒を有することを特徴とする光学機器。
【手続補正２】
【補正対象書類名】明細書
【補正対象項目名】０００８
【補正方法】変更
【補正の内容】
【０００８】
本発明の一側面としてのレンズ鏡筒は、内周に第１の突起部が形成された鏡筒部材と、外周に第１の凹部が形成され、内周に第２の凹部が形成された止め板部材と、外周に第２の突起部が形成された環状部材とを有する。そして、第１および第２の凹部内を第１および第２の突起部がそれぞれ光軸方向に通過した後に周方向に回転した止め板部材が、該第１および第２の突起部により光軸方向にて挟み付けられることで、環状部材が鏡筒部材に対して保持されることを特徴とする。
【手続補正３】
【補正対象書類名】明細書
【補正対象項目名】０００９
【補正方法】変更
【補正の内容】
【０００９】
ここで、止め板部材において、第１の凹部と第２の凹部との周方向位置が異なるようにしてもよい。
【手続補正４】
【補正対象書類名】明細書
【補正対象項目名】００１６
【補正方法】変更
【補正の内容】
【００１６】
１は第１レンズユニットＬ１が保持されている第１鏡筒ユニット、２は第２レンズユニットＬ２を保持する第２鏡筒、３は第３レンズユニットＬ３を光軸直交面内で移動可能に保持するシフトユニット、４は第４レンズユニットＬ４を保持する移動枠、５は光量を調節する絞りシャッターユニットである。
【手続補正５】
【補正対象書類名】明細書
【補正対象項目名】００２４
【補正方法】変更
【補正の内容】
【００２４】
１６はカム筒１３を回転駆動するズームモータであり、カム筒１３の後端部に設けられたギア部１３ｆと噛み合ってカム筒１３を回転させ、変倍動作を行わせる。ズームモータ１６は、後部鏡筒１１にビスで固定されている。
【手続補正６】
【補正対象書類名】明細書
【補正対象項目名】００５２
【補正方法】変更
【補正の内容】
【００５２】
次に、第１鏡筒ユニット１の構成について詳しく説明する。２６は第１レンズユニットＬ１を保持する第１鏡筒であり、その外周部には、固定用のフランジ２６ａ（調整部材）が設けられている。フランジ２６ａの外周には、周方向に所定のピッチでほぼ全周にわたって、それぞれ接着用の切り欠き形状を持つ複数の接着部２６ｂが形成されている。また、第１鏡筒２６の前端面には、調整工具を係合させるための係合部２６ｃが周方向に所定のピッチでほぼ全周にわたって複数形成されている。また、フランジ２６ａの後側には、突き当て面２６ｄを有している。
【手続補正書】
【提出日】平成20年1月31日(2008.1.31)
【手続補正１】
【補正対象書類名】明細書
【補正対象項目名】００１９
【補正方法】変更
【補正の内容】
【００１９】  ４ａ，４ｂは光源としての第１および第２の発光部（第１の光源、第２の光源）であり、被写体輝度が低いときや特殊撮影時などに照明光を発する。本実施例では、２つの発光部４ａ，４ｂは、レンズ鏡筒３の外側に隣接する位置に、互いに近接して配置されている。
【手続補正２】
【補正対象書類名】明細書
【補正対象項目名】００２９
【補正方法】変更
【補正の内容】
【００２９】    図５に示すように、第１の入射部５ａ１には、第１の発光部４ａに対向し、該第１の発光部４ａからの光束が入射する正の光学的パワーを有する入射面５ｃと、該入射面５ｃを透過した光束をほぼ全反射する正の光学的パワーを有する全反射面５ｅ（第１の反射面）が形成されている。また、第２の入射部５ａ２には、第２の発光部４ｂに対向し、該第２の発光部４ｂからの光束が入射する正の光学的パワーを有する入射面５ｄと、該入射面５ｄを透過した光束をほぼ全反射する正の光学的パワーを有する全反射面５ｆ（第２の反射面）と、該全反射面５ｆにより全反射された光束を一旦光学部材５の外部に射出させる射出面５ｊとを有する。全反射面５ｅ，５ｆは、連続的な非球面で構成されている。なお、第１および第２の入射部５ａ１，５ａ２は、入射面側の部分で互いに繋がっている。また、５ｇは、導光部５ａのうち、第１および第２の入射部５ａ１，５ａ２をリング部５ｂに接続する接続部である。
【手続補正３】
【補正対象書類名】明細書
【補正対象項目名】００５３
【補正方法】変更
【補正の内容】
【００５３】  １６ａ〜１６ｃは第１〜第３の発光部であり、被写体輝度が低いときや特殊撮影時などに発光する。実施例１よりも高い輝度を発するように、発光部の数が多い。１７は光学部材であり、第１〜第３の発光部１６ａ〜１６ｃ（第１の光源、第２の光源、第３の光源）からの光を後述する射出部１７ｂに導く導光部１７ａと、該導光部１７ａにより導かれた光束を被写体方向に射出するリング状の射出部（以下、リング部という）１７ｂとを有する。光学部材１７は光透過性の樹脂材料により形成されている。
【手続補正４】
【補正対象書類名】明細書
【補正対象項目名】００６０
【補正方法】変更
【補正の内容】
【００６０】  図１４に示すように、第１の入射部１７ａ１には、第１の発光部１６ａに対向し、該第１の発光部１６ａからの光束が入射する正の光学的パワーを有する入射面１７ｃと、該入射面１７ｃを透過した光束をほぼ全反射する、正の光学的パワーを有する全反射面１７ｆ（第１の反射面）とが形成されている。また、第２および第３の入射部１７ａ２，１７ａ３にはそれぞれ、第２および第３の発光部１６ｂ，１６ｃに対向し、該第２および第３の発光部１６ｂ，１６ｃからの光束が入射する正の光学的パワーを有する入射面１７ｄ，１７ｅと、該入射面１７ｄ，１７ｅを透過した光束をほぼ全反射する正の光学的パワーを有する全反射面１７ｇ，１７ｊ（第２の反射面、第３の反射面）と、該全反射面１７ｇ，１７ｊにより全反射された光束を一旦光学部材１７の外部に射出させる射出面１７ｋ，１７ｌとを有する。全反射面１７ｆ，１７ｇ，１７ｊは、連続的な非球面で構成されている。なお、第１から第３の入射部１７ａ１〜１７ａ３は、入射面側の部分で互いに繋がっている。
【手続補正５】
【補正対象書類名】明細書
【補正対象項目名】００７２
【補正方法】変更
【補正の内容】
【００７２】  第１の入射部２１ａ１には、第１の発光部２６ａ（第１の光源）に対向し、該第１の発光部２６ａからの光束が入射する正の光学的パワーを有する入射面２１ｃと、該入射面２１ｃを透過した光束をほぼ全反射する、正の光学的パワーを有する全反射面２１ｇとが形成されている。
【手続補正６】
【補正対象書類名】明細書
【補正対象項目名】００７３
【補正方法】変更
【補正の内容】
【００７３】  また、第２〜第４の入射部２１ａ２〜２１ａ４にはそれぞれ、第２〜第４の発光部２１ｂ〜２１ｄ（第２〜第４の光源）に対向し、該第２〜第４の発光部２１ｂ〜２１ｄからの光束が入射する正の光学的パワーを有する入射面２１ｄ，２１ｅ，２１ｆと、該入射面２１ｄ〜２１ｆを透過した光束をほぼ全反射する正の光学的パワーを有する全反射面２１ｈ，２１ｉ，２１ｊ（第１の反射面以外の反射面）と、該全反射面２１ｈ〜２１ｊにより全反射された光束を一旦光学部材１７の外部に射出させる射出面２１ｋ，２１ｌ，２１ｍとを有する。全反射面２１ｇ〜２１ｊは、連続的な非球面で構成されている。なお、第１から第４の入射部２１ａ１〜２１ａ４は、入射面側の部分で互いに繋がっている。
【手続補正７】
【補正対象書類名】明細書
【補正対象項目名】００７８
【補正方法】変更
【補正の内容】
【００７８】  さらに、第１〜第４の入射部２１ａ１〜２１ａ４において、全反射面２１ｇ〜２１ｊで方向変換された光束は、接続部２１ｎに導かれる。ここで、第２の入射部２１ａ２の全反射面２１ｈで反射された光束は、一旦、射出面２１ｋから光学部材２１の外部に射出した後、第１の入射部２１ａ１の全反射面２１ｇ（第１の反射面）から再び光学部材２１内に入射する。また、第３の入射部２１ａ３の全反射面２１ｉで反射された光束は、一旦、射出面２１ｌから光学部材２１の外部に射出した後、第１の入射部２１ａ１の全反射面２１ｇから再び光学部材２１内に入射する。さらに、第４の入射部２１ａ４の全反射面２１ｊで反射された光束は、一旦、射出面２１ｍから光学部材２１の外部に射出した後、第１の入射部２１ａ１の全反射面２１ｇから再び光学部材２１内に入射する。
【手続補正８】
【補正対象書類名】明細書
【補正対象項目名】００８３
【補正方法】変更
【補正の内容】
【００８３】  なお、１つの入射部に入射させる光束は、３個以上のＬＥＤから発せられたものであってもよい。また、光学部材の入射部は、５つ以上で各々を第１の反射面以外の反射面で反射した光を反射して第１の反射面に向かわせてもよい。
【手続補正９】
【補正対象書類名】明細書
【補正対象項目名】００８６
【補正方法】変更
【補正の内容】
【００８６】  第１の入射部２２ａ１には、第１の発光部２７ａ（第１の光源）に対向し、該第１の発光部２７ａからの光束が入射する正の光学的パワーを有する入射面２２ｃと、該入射面２２ｃを透過した光束をほぼ全反射する、正の光学的パワーを有する全反射面２２ｆ（第１の反射面）とが形成されている。また、第２および第３の入射部２２ａ２，２２ａ３にはそれぞれ、第２および第３の発光部２７ｂ，２７ｃ（第２の光源、第３の光源）に対向し、該第２および第３の発光部２７ｂ，２７ｃからの光束が入射する正の光学的パワーを有する入射面２２ｄ，２２ｅと、該入射面２２ｄ，２２ｅを透過した光束をほぼ全反射する正の光学的パワーを有する全反射面２２ｇ，２２ｈ（第２の反射面、第３の反射面）と、該全反射面２２ｇ，２２ｈにより全反射された光束を一旦光学部材２２の外部に射出させる射出面２２ｉ，２２ｊとを有する。全反射面２２ｆ，２２ｇ，２２ｈは、連続的な非球面で構成されている。なお、第１から第３の入射部２２ａ１〜２２ａ３は、入射面側の部分で互いに繋がっている。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
フォーカシングレンズと、
前記フォーカシングレンズを駆動する合焦動作時に回転するフォーカス回転筒と、
前記フォーカス回転筒に設けられた回転筒歯車部と、
オートフォーカスとマニュアルフォーカスとを外部から切替操作可能な切替操作部材と、
オートフォーカス時に前記フォーカス回転筒を駆動する駆動力を発生するモータと、
前記モータの回転駆動力を前記フォーカス回転筒に伝達する複数の歯車を有した歯車列と、
前記歯車列を構成する歯車であって、オートフォーカス時及びマニュアルフォーカス時のいずれの場合においても常に前記回転筒歯車部と噛み合う出力歯車と、
前記出力歯車と同軸且つ回転方向において係合して前記出力歯車と同時に回転可能に設けられ、前記切替操作部材の操作に連動してオートフォーカス位置とマニュアルフォーカス位置との間を軸方向に沿って移動可能な切替歯車部材と、
を備え、
前記切替歯車部材は、前記歯車列に含まれる第１の切替歯車と噛み合う第２の切替歯車部を有しており、前記オートフォーカス位置では、前記第１の切替歯車と前記第２の切替歯車部とが噛み合い、前記マニュアルフォーカス位置では、前記第１の切替歯車と前記第２の切替歯車部との噛み合いが解除されるレンズ鏡筒。
【請求項２】
請求項１に記載のレンズ鏡筒において、
前記切替歯車部材は、前記オートフォーカス位置と前記マニュアルフォーカス位置との間の移動時に前記出力歯車に対して回転方向の係合状態を継続しながらその係合位置が軸方向に移動可能な係合部を有していること、
を特徴とするレンズ鏡筒。
【請求項３】
請求項１または請求項２に記載のレンズ鏡筒において、
前記出力歯車は、オートフォーカス時及びマニュアルフォーカス時のいずれの場合においてもその軸方向の位置が移動しない様に位置規制されていること、
を特徴とするレンズ鏡筒。
【請求項４】
請求項１から請求項３までのいずれか１項に記載のレンズ鏡筒において、
前記第２の切替歯車部は、前記出力歯車と同軸であること、
を特徴とするレンズ鏡筒。
【請求項５】
請求項２に記載のレンズ鏡筒において、
前記切替歯車部材を前記オートフォーカス位置方向へ付勢する付勢部材を有すること、
を特徴とするレンズ鏡筒。
【請求項６】
請求項１から請求項５までのいずれか１項に記載のレンズ鏡筒において、
前記歯車列は、前記モータと同軸にある第１の軸位置と、
前記切替歯車部材の軸位置にある第２の軸位置と、
前記第１の切替歯車と同軸にある第３の軸位置と、
の３つの軸位置から形成されていること、
を特徴とするレンズ鏡筒。
【請求項７】
請求項１から請求項５までのいずれか１項に記載のレンズ鏡筒において、
前記歯車列は、前記モータと同軸にある第１の軸位置と、
前記切替歯車部材の軸位置にある第２の軸位置と、
の２つの軸位置から形成されており、
前記第１の切替歯車は、前記第１の軸位置に配置されていること、
を特徴とするレンズ鏡筒。
【請求項８】
請求項１から請求項７までのいずれか１項に記載のレンズ鏡筒において、
前記モータは、その中心軸から回転駆動力を出力する小型振動波モータであること、
を特徴とするレンズ鏡筒。
【手続補正２】
【補正対象書類名】明細書
【補正対象項目名】０００８
【補正方法】変更
【補正の内容】
【０００８】
請求項２の発明は、請求項１に記載のレンズ鏡筒において、前記切替歯車部材（１３）は、前記オートフォーカス位置と前記マニュアルフォーカス位置との間の移動時に前記出力歯車に対して回転方向の係合状態を継続しながらその係合位置が軸方向に移動可能な係合部（１３ａ）を有していること、を特徴とするレンズ鏡筒である。
請求項３の発明は、請求項１または請求項２に記載のレンズ鏡筒において、前記出力歯車は、オートフォーカス時及びマニュアルフォーカス時のいずれの場合においてもその軸方向の位置が移動しない様に位置規制されていること、を特徴とするレンズ鏡筒である。
請求項４の発明は、請求項１から請求項３までのいずれか１項に記載のレンズ鏡筒において、前記第２の切替歯車部は、前記出力歯車と同軸であること、を特徴とするレンズ鏡筒である。
請求項５の発明は、請求項２に記載のレンズ鏡筒において、前記切替歯車部材（１３）を前記オートフォーカス位置方向へ付勢する付勢部材（１５）を有すること、を特徴とするレンズ鏡筒である。
請求項６の発明は、請求項１から請求項５までのいずれか１項に記載のレンズ鏡筒において、前記歯車列（１０）は、前記モータ（１７）と同軸にある第１の軸位置と、前記切替歯車部材（１３）の軸位置にある第２の軸位置と、前記第１の切替歯車（１６）と同軸にある第３の軸位置と、の３つの軸位置から形成されていること、を特徴とするレンズ鏡筒である。
請求項７の発明は、請求項１から請求項５までのいずれか１項に記載のレンズ鏡筒において、前記歯車列は、前記モータと同軸にある第１の軸位置と、前記切替歯車部材の軸位置にある第２の軸位置と、の２つの軸位置から形成されており、前記第１の切替歯車は、前記第１の軸位置に配置されていること、を特徴とするレンズ鏡筒である。
請求項８の発明は、請求項１から請求項７までのいずれか１項に記載のレンズ鏡筒において、前記モータ（１７）は、その中心軸から回転駆動力を出力する小型振動波モータであること、を特徴とするレンズ鏡筒である。
【手続補正書】
【提出日】平成20年1月7日(2008.1.7)
【手続補正１】
【補正対象書類名】明細書
【補正対象項目名】００１２
【補正方法】変更
【補正の内容】
【００１２】
前記平板状基板は、本発明の分波素子を用いる波長に対して実質的に透明な材料で構成されていればよく、石英ガラス、光学ガラスなどのガラス材料、シリコン、および、ポリカーボネート、ポリメチルメタクリレート（ＰＭＭＡ）などの樹脂材料が例示されるが、耐久性などの観点から石英ガラス、および光学ガラスで構成されていることが好ましい。
【手続補正２】
【補正対象書類名】明細書
【補正対象項目名】００１３
【補正方法】変更
【補正の内容】
【００１３】
前記凹凸構造は、透明基板自体の表面を加工して作製してもよく、また、透明基板の表面に透明材料からなる層を形成し、かかる層を加工して作製してもよい。かかる加工方法としては、切削、プレス、モールド、フォトリソグラフィおよびエッチングなどが例示される。
【手続補正３】
【補正対象書類名】明細書
【補正対象項目名】００１４
【補正方法】変更
【補正の内容】
【００１４】
前記凹凸構造を透明材料からなる層を形成、加工して作製する場合、透明材料としては、前述の加工のための加工性に優れたものが好ましく、前述の加工をフォトリソグラフィおよびエッチングによりおこなうときには、窒化ケイ素、酸化ケイ素、酸化チタン、酸化タンタル、酸化ニオブ、酸化亜鉛、およびシリコンのいずれかから選ばれる１種を主たる成分とする材料が好ましい。
【手続補正４】
【補正対象書類名】明細書
【補正対象項目名】００２６
【補正方法】変更
【補正の内容】
【００２６】
また、入射光２を、回折格子形成面の法線方向から凹凸構造の周期方向に傾けるとともに、凹凸構造の伸長方向に対しても傾ける構成とすると、入射光２を回折格子形成面に対して垂直入射させる場合と比べて、回折光４が透過光出射面１ｄに入射するときの入射角を大きくすることができる。これにより透明基板−空気界面で全反射させる条件を緩和することができるので、回折格子の格子周期を大きくすることができて好ましい。
【手続補正５】
【補正対象書類名】明細書
【補正対象項目名】００３２
【補正方法】変更
【補正の内容】
【００３２】
［例１］
例１の分波素子１は石英ガラス製平板状基板からなる透明基板１ａを用いて形成されていて、図３に概略断面図で示した構成をもつ。まず直径１２５ｍｍで厚さ２．０ｍｍ、屈折率１．４４４の石英ガラスからなる透明基板１ａの一方の表面に、フォトリソグラフィおよびエッチングにより、矩形断面の直線状の溝を周期的に形成して回折格子１ｂを形成する。前記矩形断面の溝は幅が５００ｎｍで深さが３４００ｎｍであり、互いに平行に１５００ｎｍのピッチで、凸部と凹部との幅の比が２：１とする。回折格子１ｂを形成した面を回折格子形成面１ｃとし、この面と対向する表面を透過光出射面１ｄとする。
次に、ダイシングソーにより、端面が表面に対して直角となるように、前記透明基板を１０ｍｍ×６ｍｍの長方形に切断する。このとき、回折素子１の短辺を前記回折格子の周期方向と直交するようにし、短辺の端面を平滑に研磨し、前記光の波長に対する低反射コーティングを施し、分波光出射面１ｅとする。以上の工程により本例の分波素子１を得る。
【手続補正６】
【補正対象書類名】明細書
【補正対象項目名】００３３
【補正方法】変更
【補正の内容】
【００３３】
このようにして得られた本例の分波素子１の回折格子形成面１ｃの中央に、波長１５８０ｎｍ、１６００ｎｍおよび１６２０ｎｍの３波長の光が合波された直線偏光の入射光２を垂直入射させる。ここで、前記直線偏光の偏光方向は、回折格子１ｂの周期方向と平行または直交する方向とする。前記入射光は、前記回折格子を直進透過して透過光出射面から透過光として出射されるとともに、一部は前記回折格子により波長１５８０ｎｍ、１６００ｎｍおよび１６２０ｎｍの波長に応じてそれぞれ内部回折角４７度、４８度および４８度で回折される。それぞれの波長の回折光４は、対向する透過光出射面１ｄに対してそれぞれの波長の内部回折角と同角度の入射角で入射するが、これらの入射角はいずれも石英ガラスの全反射角度４４度より大きいため、全反射される。透過光出射面１ｄにより全反射された光は、次いで内部回折角と同角度の入射角で回折格子形成面に入射し、同様に全反射される。このように分波された回折光は透過光出射面および回折格子形成面により順次全反射されて、分波光出射面１ｅから分波光として出射される。
【手続補正７】
【補正対象書類名】明細書
【補正対象項目名】００４６
【補正方法】変更
【補正の内容】
【００４６】
１：分波素子
１ａ：透明平板状基板
１ｂ：回折格子
１ｃ：回折格子形成面
１ｄ：透過光出射面
１ｅ：分波光出射面
２：入射光
３：透過光
４：回折光
５：透過光出射面により全反射された回折光
６：分波光
７：入射光の回折格子形成面への入射角
８：内部回折角
９：回折光の透過光出射面への入射角
１０：回折光の分波光出射面への入射角
１１：分波光の分波光出射面からの出射角
１２：入射光の方向に対する分波光の取出し角
１３：光検出器
２３：低反射コーティング